(57)【要約】【課題】ケース本体と蓋部との連結及び導通を見栄えが良く安全かつ簡単な構造で行う。【解決手段】一面が開口した中空箱型に形成されて電子機器を収納し、表面に塗装が施された金属製のケース本体１と、電子機器が取り付けられ、蝶番３によってケース本体１に連結されて、ケース本体１の開口１ａに回動自在に覆設される、表面に塗装が施された金属製の蓋部２とを備え、蝶番３は、軸筒３１ａが形成されてケース本体に設けられる第一の蝶番金具３１と、軸孔３２２ａが穿設されて蓋部２に設けられる第二の蝶番金具３２と、軸筒３１ａ及び軸孔３２２ａを挿通して軸筒３１ａ及び軸孔３２２ａを軸支する軸部３３１及び軸部３３１の端部が拡径されてなる頭部３３２から構成される金属製のピン３３と、ピン３３と第一の蝶番金具３１とを導通させる導通手段３６と、一端がピン３３に接触して他端が第二の蝶番金具３２の未塗装箇所に接触する導通金具３４とで構成される。【選択図】図１
2011009560.tif 000002
【特許請求の範囲】
【請求項１】
一面が開口した中空箱型に形成されて電子機器を収納し、少なくとも表面に塗装が施された金属製のケース本体と、
電子機器が取り付けられ、蝶番構造によってケース本体に連結されて、ケース本体の開口に回動自在に覆設される、少なくとも表面に塗装が施された金属製の蓋部とを備え、
前記蝶番構造は、軸筒が形成されてケース本体または蓋部のいずれか一方に設けられる第一の蝶番金具と、軸孔が穿設されてケース本体または蓋部のいずれか他方に設けられる第二の蝶番金具と、軸筒及び軸孔を挿通して当該軸筒及び軸孔を軸支する軸部及び当該軸部の端部が拡径されてなる頭部から構成される金属製のピンと、ピンと第一の蝶番金具とを導通させる導通手段と、一端がピンに接触して他端が第二の蝶番金具の未塗装箇所に接触する導通金具とで構成されることを特徴とする電子機器収納箱。
【請求項２】
前記導通金具は、一端がピンの挿入方向において当該ピンの頭部に圧接することを特徴とする請求項１記載の電子機器収納箱。
【請求項３】
前記導通金具は、一端がピンの引抜方向において当該ピンにおける頭部の座面に圧接することを特徴とする請求項１記載の電子機器収納箱。
【請求項４】
前記導通金具は、略Ｌ字状に形成されて、一端がピンに圧接して他端が第二の蝶番金具に固定されることを特徴とする請求項１乃至３いずれか記載の電子機器収納箱。
【請求項５】
前記導通金具は、他端にねじが挿通する貫通孔が穿設されて、当該ねじによって第二の蝶番金具に固定されることを特徴とする請求項４記載の電子機器収納箱。
【請求項６】
前記導通金具は、他端側に第二の蝶番金具を挟み込む断面略コの字状の狭持部が形成され、当該狭持部には、第二の蝶番金具の塗装を削剥すると共に第二の蝶番金具に圧接する削剥部が形成されることを特徴とする請求項４記載の電子機器収納箱。
【発明の詳細な説明】
【技術分野】
【０００１】
本発明は、電子機器収納箱に関するものである。
【背景技術】
【０００２】
従来から用いられている電子機器収納箱として、一面が開口した金属製のケース本体と、蝶番によってケース本体の開口に回動自在に覆設される金属製の蓋部と、ケース本体内に収納される操作可能なブレーカ等の電子機器とを備えた分電盤がある（例えば特許文献１参照）。
【０００３】
そして、従来は、ケース本体のみをアース接続し、ケース本体に収納された電子機器はケース本体の金属部分にアース接続されていた。
【０００４】
また、近年、蓋部にも表示器等の電子機器を取り付けたいという要望があり、その場合には、蓋部に設けられた電子部品を蓋部の金属部分に導通させ、更にリード線を介して当該蓋部の金属部分とケース本体の金属部分とを接続することで、蓋部に取り付けられた電子部品のアース接続を行っていた。
【先行技術文献】
【特許文献】
【０００５】
【特許文献１】実開平３−１０６８０４号公報
【発明の概要】
【発明が解決しようとする課題】
【０００６】
しかしながら、リード線が別途設けられることで、蓋部を開けた際にリード線が露出して見栄えが悪くなる、若しくは、蓋部を開閉する際にリード線をケース本体と蓋部との間に挟みこんでしまう虞がある等の問題があった。
【０００７】
本発明は、上記事由に鑑みてなされたものであり、その目的は、ケース本体と蓋部との連結及び導通を、見栄えが良く安全かつ簡単な構造で行うことができる電子機器収納箱を提供することにある。
【課題を解決するための手段】
【０００８】
請求項１の発明は、一面が開口した中空箱型に形成されて電子機器を収納し、少なくとも表面に塗装が施された金属製のケース本体と、電子機器が取り付けられ、蝶番構造によってケース本体に連結されて、ケース本体の開口に回動自在に覆設される、少なくとも表面に塗装が施された金属製の蓋部とを備え、前記蝶番構造は、軸筒が形成されてケース本体または蓋部のいずれか一方に設けられる第一の蝶番金具と、軸孔が穿設されてケース本体または蓋部のいずれか他方に設けられる第二の蝶番金具と、軸筒及び軸孔を挿通して当該軸筒及び軸孔を軸支する軸部及び当該軸部の端部が拡径されてなる頭部から構成される金属製のピンと、ピンと第一の蝶番金具とを導通させる導通手段と、一端がピンに接触して他端が第二の蝶番金具の未塗装箇所に接触する導通金具とで構成されることを特徴とする。
【０００９】
この発明によれば、ケース本体と蓋部との連結及び導通を、見栄えが良く安全かつ簡単な構造で行うことができる。
【００１０】
請求項２の発明は、請求項１記載の発明において、前記導通金具は、一端がピンの挿入方向において当該ピンの頭部に圧接することを特徴とする。
【００１１】
この発明によれば、導通金具がピンの頭部に圧接することで、導通金具とピンとの間の導通性能を高めることができると共に、導通金具によってピンの抜け止めを行うことができる。
【００１２】
請求項３の発明は、請求項１記載の発明において、前記導通金具は、一端がピンの引抜方向において当該ピンにおける頭部の座面に圧接することを特徴とする。
【００１３】
この発明によれば、導通金具とピンとの間の接圧が高くなり、導通金具とピンとの間の導通性能を高めることができる。
【００１４】
請求項４の発明は、請求項１乃至３いずれか記載の発明において、前記導通金具は、略Ｌ字状に形成されて、一端がピンに圧接して他端が第二の蝶番金具に固定されることを特徴とする。
【００１５】
この発明によれば、導通金具とピンとの間の接圧を容易に調節することができる。
【００１６】
請求項５の発明は、請求項４記載の発明において、前記導通金具は、他端にねじが挿通する貫通孔が穿設されて、当該ねじによって第二の蝶番金具に固定されることを特徴とする。
【００１７】
この発明によれば、第二の蝶番金具に塗装が施されている場合であっても、ねじが、第二の蝶番金具のねじ孔の塗装を削剥しつつ螺合することで、導通金具と第二の蝶番金具との間の導通及び連結を容易に行うことができる。
【００１８】
請求項６の発明は、請求項４記載の発明において、前記導通金具は、他端側に第二の蝶番金具を挟み込む断面略コの字状の狭持部が形成され、当該狭持部には、第二の蝶番金具の塗装を削剥すると共に第二の蝶番金具に圧接する削剥部が形成されることを特徴とする。
【００１９】
この発明によれば、第二の蝶番金具に塗装が施されている場合であっても、導通金具が第二の蝶番金具に組みつけられる際に、導通金具における狭持部の削剥部が第二の蝶番金具の塗装を削剥して圧接することで、導通金具と第二の蝶番金具との間の導通及び連結を容易に行うことができる。
【発明の効果】
【００２０】
以上説明したように、本発明では、ケース本体と蓋部との連結及び導通を、見栄えが良く安全かつ簡単な構造で行うことができるという効果がある。
【図面の簡単な説明】
【００２１】
【図１】本発明の実施形態１における電子機器収納箱の要部断面図を示す。
【図２】同上における電子機器収納箱の一部破断した正面図示す。
【図３】同上における電子機器収納箱の要部断面図を示す
【図４】同上における電子機器収納箱の要部拡大図を示す。
【図５】同上における電子機器収納箱が備える蝶番構造の分解斜視図を示す。
【図６】同上における電子機器収納箱が備えるピンの外観図を示す。
【図７】同上における電子機器収納箱が備えるばね材の外観図を示す。
【図８】本発明の実施形態２における電子機器収納箱が備える導通部材の三面図を示す。
【図９】同上における電子機器収納箱が備える導通部材の斜視図を示す。
【図１０】同上における電子機器収納箱が備える蝶番構造の分解斜視図を示す。
【図１１】同上における電子機器収納箱の要部断面図を示す。
【図１２】同上における電子機器収納箱の要部断面図を示す。
【図１３】本発明の実施形態３における電子機器収納箱の要部断面図を示す。
【図１４】同上における電子機器収納箱が備える蝶番構造の斜視図を示す。
【図１５】同上における電子機器収納箱の要部断面図を示す。
【発明を実施するための形態】
【００２２】
以下、本発明の実施の形態を図面に基づいて説明する。
【００２３】
（実施形態１）
本発明の電子機器収納箱は、図１〜４に示すように、前面に略矩形状の開口１ａが形成されたケース本体１と、蝶番構造によってケース本体１と連結されて、ケース本体１の開口１ａに回動自在に覆設する蓋部２と、前記蝶番構造を形成する蝶番３とを備えている。なお、以下図２における上下左右を基準とし、上下左右方向と直交する方向を前後方向とする。
【００２４】
ケース本体１は、金属材料から前面に略矩形状の開口１ａを有した中空箱型に形成され、表面には塗装が施されている。そして、開口１ａの周縁の上端部からは、後方へ向けて延設された後にその先端が更に下方へ延設されてなる段部１１が形成されている。また、段部１１は、当該段部１１の下端から後方へ向け延設される延設部１１ａによって強度が高められる。
【００２５】
蓋部２は、金属材料から略矩形平板状に形成されて、上端には後方へ向けて折曲された折曲部２ａが形成され、表面には塗装が施されている。
【００２６】
蝶番３は、図５に示すように、軸筒３１ａが形成されてケース本体１における段部１１の前面に固定される第一の蝶番金具３１と、蓋部２の延設部２２に固定されて第一の蝶番金具３１の第一の軸筒３１ａと略同軸となる位置に軸孔３２２ａが穿設される第二の蝶番金具３２と、長尺円柱状の軸部３３１及び当該軸部３３１の一端に形成される頭部３３２から構成され第一、軸筒３１ａ、及び軸孔３２２ａを挿通すると共に軸支する金属製のピン３３と、一端がピン３３の頭部３３２を圧接して他端が第二の蝶番金具３２に固定される導通金具３４Ａとを備えている。以下、図５に示す上下左右、及び前後を基準として説明を行う。
【００２７】
第一の蝶番金具３１は、段部１１に溶接等によって固定され、ケース本体１と導通している。
【００２８】
第二の蝶番金具３２は、略矩形平板状の基部３２１と、基部３２１の両端からそれぞれ後方へ向けて延設されて先端が左右外側方向へ折曲された一対の延設部３２２とから構成されている。ここで、一対の延設部３２２は、第一の蝶番金具３１の軸筒３１ａの両端にそれぞれ対向するように形成されて、軸筒３１ａと略同軸となる位置に軸孔３２２ａが穿設されている。
【００２９】
また、第二の蝶番金具３２は、延設部３２２の先端における折曲部３２２ｂが蓋部２の折曲部２ａに溶接等によって固定され、蓋部２と導通している。
【００３０】
ピン３３は、図６に示すように、所謂頭付ピンであり、ピン部３３１と、ピン部３３１の一端が拡径されてなる頭部３３２とから構成される。また、ピン部３３１の軸方向の略中央には円周方向に凹部３３１ａが形成され、当該凹部３３１ａにはばね材３６が取り付けられる。
【００３１】
上記ばね材３６は、図７に示すように、ピン３３の軸方向に対して中心部が最も膨らんだ略円弧状に形成された複数のばね部３６ａと、当該複数のばね部３６ａを介して連結され、ピン３３の凹部３３１ａに嵌め込まれる断面略Ｃ型の一対の固定部３６ｂとを備える。ここで、ばね部３６ａは、ピン３３の円周方向に膨らんだ略タル状に形成されていることから、ピン３３の円周方向に弾性力を有しており、更には、ピン３３の軸方向に沿った略円弧状に形成されていることから、ピン３３の軸方向についても弾性力を有している。
【００３２】
そして、ピン３３が、第一の蝶番金具３１の軸筒３１ａ及び第二の蝶番金具３２の軸孔３２２ａを挿通して組みつけられた際に、ばね材３６のばね部３６ａが、第一の軸筒３１ａ内径部の塗装を削剥して金属部分に当接することで、ピン３３と第一の蝶番金具３１とが導通する。
【００３３】
導通金具３４Ａは、略矩形平板状の基部３４１と、基部３４１の左端から後方へ延設されてなる延設部３４２とから略Ｌ字状に形成される。
【００３４】
そして、基部３４１には貫通孔３４１ａが形成されており、金属製のねじ３５が、挿通孔３４１ａを挿通して第二の蝶番金具３２における基部３２１に穿設されるねじ孔３２１ａに螺合することで、導通金具３４Ａが第二の蝶番金具３２に固定される。その際、ねじ３５が、ねじ孔３２１ａのねじ溝を覆う塗装を削剥しつつ螺合することで、当該ねじ３５を介して第二の蝶番金具３２と導通金具３４Ａとが導通する。
【００３５】
また、延設部３４２は、基部３４１に対する角度が略９０度に形成されて折曲部を支点としてばね性を有し、ピン３３の挿入方向において当該ピン３３の頭部３３２に圧接してピン３３と導通する。ここで、基部３４１に対する延設部３４２の角度を調節することで、ピン３３の頭部３３２に対する延設部３４２の接圧を容易に調節することができる。
【００３６】
従って、導通金具３４Ａを介して、第二の蝶番金具３２とピン３３とが導通すると共に、導通金具３４Ａによってピン３３の抜け止めがなされる。
【００３７】
また、延設部３４２は、先端に外側へ向けて折り曲げられて折曲部３４２ａが形成されることで、延設部３４２の先端の強度が高められて、安定してピン３３に圧接する。
【００３８】
このように、本実施形態の電子機器収納箱は、ケース本体１→第一の蝶番金具３１→ばね材３６→ピン３３→導通金具３４Ａ→第二の蝶番金具３２→蓋部２の経路で、ケース本体１と蓋部２との導通が図られている。ここで、導通金具３４Ａ及びばね材３６は、蝶番構造に組み込まれているため、蓋部２を開閉した際にアース線のように見栄えを損なうことがなく、更には、蓋部２を閉じた際に当該蓋部２とケース本体１との間に挟みこむ虞もない。
【００３９】
よって、導通金具３４Ａ及びばね材３６によって、ケース本体１と蓋部２との連結及び導通を、見栄えが良く安全かつ簡単な構造で行うことができ、更には、導通部材３４によってピン３３の抜け止めを行うことができる。
【００４０】
なお、本実施形態では、第一の蝶番金具３１をケース本体１に固定し、第二の蝶番金具３２を蓋部２に固定しているが、第一の蝶番金具３１を蓋部２に固定して、第二の蝶番金具３２をケース本体１に固定するものであってもよい。
【００４１】
（実施形態２）
本発明の実施形態２について図８〜１２を用いて説明を行う。なお、本実施形態の構成と実施形態１の構成とで異なる点は、本実施形態では導通金具３４Ｂを用いている点、及び第二の蝶番金具３２においてねじ孔３２１ａの代わりに貫通孔３２１ｂが形成されている点である。なお、その他の構成については実施形態１と同様の符号を付して説明を省略する。以下、図１０に示す上下左右及び前後を基準として説明を行う。
【００４２】
導通金具３４Ｂにおける基部３４３は、右端側に断面略コの字状の狭持部３４４が形成されている。狭持部３４４は、基部３４３の下端から後方へ延設される延設片３４５と、当該延設片３４５の先端から上方へ延設される狭持片３４６とから構成される。つまり、基部３４３と狭持片３４６とは、前後方向において対向する。
【００４３】
基部３４３において狭持片３４６と対向する面には、狭持片３４６側へ突出した略半球状の突部３４３ａが形成されており、更に、当該突部３４３ａの両側面には一対のスリット３４３ｂが形成されている。
【００４４】
そして、導通金具３４Ｂを第二の蝶番金具３２に組み付ける際には、第二の蝶番金具３２の下方から導通金具３４Ｂの狭持部３４４に第二の蝶番金具３２が嵌まり込むように上方へスライドさせる。ここで、導通金具３４Ｂの基部３４３及び狭持片３４６の上端は、それぞれ外側方向へ折曲されて折曲部３４３ｃ及び折曲部３４６ｂが形成されている。そのため、導通金具３４Ｂを第二の蝶番金具３２に組み付ける際に、基部３４３及び狭持片３４６の上端が第二の蝶番金具３２に引っ掛かることを防止でき、スムーズに取り付けを開始することができる。
【００４５】
また、基部３４３の突部３４３ａが、第二の蝶番金具３２における基部３２１に形成される貫通孔３２１ｂに嵌まり込み、導通金具３４Ｂの基部３４３と狭持片３４６との間の狭持部３４４に第二の蝶番金具３２における基部３２１を挟み込むことで、導通金具３４Ｂが第二の蝶番金具３２に組みつけられる。
【００４６】
その際、突部３４３ａが略球状に形成されて、更に、スリット３４３ｂが形成されていることから、導通金具３４が第二の蝶番金具３２に組みつけられる際、突部３４３ａが貫通孔３２１ｂに嵌まり込むまでは一対のスリット３４３ｂ間が前方へ撓むことで、導通金具３４Ｂを第二の蝶番金具３２にスムーズに取り付けることができる。
【００４７】
そして、導通金具３４Ｂにおける狭持片３４６の左右両端からは、前方（基部３４３側）へ向けて鋸刃状の削剥部３４６ａがそれぞれ形成されている。そのため、導通金具３４Ｂの狭持部３４４に第二の蝶番金具３２が嵌め込まれる際に、削剥部３４６ａが第二の蝶番金具３２の塗装面上を摺動して塗装を削剥し、塗装が削剥された箇所に削剥部３４６ａが圧接することで、導通金具３４Ｂと第二の導通金具３２とが導通する。
【００４８】
従って、本実施形態では、導通金具３４Ｂを第二の蝶番金具３２に組み付けると同時に、導通金具３４Ｂと第二の蝶番金具３２との間の導通も得られるため、導通金具３４Ｂと第二の蝶番金具３２との間の導通及び連結を更に容易に行うことができる。
【００４９】
（実施形態３）
本発明の実施形態２について図１３〜１５を用いて説明を行う。なお、本実施形態の構成と実施形態１の構成とで異なる点は、本実施形態では導通金具３４Ｃを用いている点である。なお、その他の構成については実施形態１と同様の符号を付して説明を省略する。以下、図１４に示す上下左右及び前後を基準として説明を行う。
【００５０】
導通金具３４Ｃは、基部３４１の左端側に前方へ膨らんだ膨出部３４７が形成されており、当該膨出部３４７を介して延設部３４８が後方へ延設されている。
【００５１】
延設部３４８は、図１３に示すように、その先端がピン３３における頭部３３２と第二の蝶番金具３２の延設部３２２との間に挿し込まれている。ここで、延設部３４８は、基部３４１に対する角度が略９０度となるように形成されて膨出部３４７を支点としてばね性を有しており、ピン３３を引き抜く方向（図１４における左方向）に当該ピン３３における頭部３３２の座面に対して圧接する。
【００５２】
つまり、延設部３４８は、とピン３３における頭部３３２の座面に対して、当該ピン３３の挿入方向に抗って圧接するので座面に対する接圧が大きくなり、導通部材３４Ｃとピン３３との間の導通性能が向上する。
【００５３】
また、導通金具３４Ｃは、サイズが小さく構造も簡単であるため、見栄えをよくすることができると共にコストを低減することができる。
【符号の説明】
【００５４】
１  ケース本体
１ａ  開口
２  蓋部
３  蝶番
３１  第一の蝶番金具
３１ａ  軸筒
３２  第二の蝶番金具
３３  ピン
３４、３４Ａ〜３４Ｃ  導通金具
３５  ねじ
３６  ばね材（導通手段）
３２２ａ  軸孔
３３１  軸部
３３２  頭部
【図１】
2011009560.tif 000003
【図２】
2011009560.tif 000004
【図３】
2011009560.tif 000005
【図４】
2011009560.tif 000006
【図５】
2011009560.tif 000007
【図６】
2011009560.tif 000008
【図７】
2011009560.tif 000009
【図８】
2011009560.tif 000010
【図９】
2011009560.tif 000011
【図１０】
2011009560.tif 000012
【図１１】
2011009560.tif 000013
【図１２】
2011009560.tif 000014
【図１３】
2011009560.tif 000015
【図１４】
2011009560.tif 000016
【図１５】
2011009560.tif 000017